(57)【要約】【課題】保持具に固着したアロイを、保持具を保護しながら保持具から分離させ、溶融したアロイの回収率を高め、更に作業者の安全性が確保できる、アロイの溶融分離回収装置を提供する。【解決手段】保持具を搬送治具に、所定の間隔を持って配列し、搬送部で搬送することで、保持具の保護が可能となり、求めている光学面の精度が得られる。また、３槽式の回収槽を備えることにより、アロイの回収率を高められ、作業者の安全性も確保できる。【選択図】    図３
2005202129.tif 000002
【特許請求の範囲】
【請求項１】
アロイの固着した眼鏡レンズ保持具から、前記アロイを溶融して分離し、回収するアロイの溶融分離回収装置であって、
一つないし複数の前記眼鏡レンズ保持具を、所定の間隔を持って配置できる受け部を備えた搬送治具を搬送する搬送部と、
前記搬送治具の受け部に固定した前記眼鏡レンズ保持具に温水を噴射して、前記眼鏡レンズ保持具から固着したアロイを溶融し、分離する分離部と、
前記溶融したアロイ及び噴射後の温水を回収する回収部と、
を備えることを特徴とするアロイの溶融分離回収装置。
【請求項２】
請求項１に記載の分離部において、前記分離部が、搬送治具で搬送した前記眼鏡レンズ保持具のアロイ部と対向する上方側及び前記搬送部の下方側及び前記搬送部の搬送方向に沿った前記分離部側壁部にシャワー部を有し、前記上方向シャワー部及び下方向及び前記搬送方向に沿った側壁シャワー部の一部もしくは全てから温水を、
前記保持具に噴きかけることを特徴とするアロイの溶融分離回収装置。
【請求項３】
前記回収部で回収した温水を、前記分離部に戻す循環部を備えていることを特徴とする、請求項１に記載のアロイ溶融分離回収装置。
【請求項４】
前記回収部でアロイを含む温水を回収し、アロイを低部に沈殿するアロイ回収槽、前記アロイ回収槽から、アロイ沈殿後の温水をオーバーフローさせて、前記温水を回収する第１の温水回収槽、前記第１の温水回収槽よりオーバーフローした温水を回収する第２の温水回収槽とを備えることを特徴とする、請求項１に記載のアロイ溶融分離回収装置。
【発明の詳細な説明】
【技術分野】
【０００１】
本発明は、眼鏡レンズの研磨に際して用いる保持具から、眼鏡レンズと保持具を固定するアロイを分離させる、アロイ溶融分離回収装置に関する。
【背景技術】
【０００２】
眼鏡レンズの製造工程においては、眼鏡レンズ１の光学面２を精密に仕上げる為に、眼鏡レンズ１に研磨加工が施される。この研磨加工において、図１に示すように、保持具４に眼鏡レンズ１がアロイ３で固定され、研磨加工機に装着され、眼鏡レンズ１の光学面２が研磨される。
【０００３】
この研磨加工が終了すると、眼鏡レンズ１はアロイ３より剥離され保持具４から外されるが、この際、アロイ３は保持具４に残ったままとなる。
【０００４】
従来、保持具４に残ったアロイ３の分離は、穴の空いた金属製の円筒容器５へ保持具４を入れ、保持具４の入った円筒容器５を、約７０℃の温水６が張られた浸漬槽の中で数分間回転させ、アロイ３を溶融し保持具４から分離していた。
【０００５】
分離されたアロイ３は、水より重いため、円筒容器５の穴から浸漬槽低部に沈殿し、アロイ沈殿層７を形成する。
【０００６】
溶融後、保持具４の入った円筒容器５は浸漬槽から引き上げられ、引き上げられた状態で再び回転をさせて、保持具４及び円筒容器５に付着した温水の水切りを行う。
【０００７】
水切り終了後、円筒容器５から保持具４が取り出される。
【０００８】
浸漬槽は単槽で、ヒーターが取り付けられており、槽の中の液温は、ヒーターによって常に７３℃に保温されている。一定期間継続して使用し、定期的に液の交換を行なう。
【０００９】
沈殿したアロイ７は、浸漬槽の底部に取り付けられたバルブ８より取り出して再使用していた。
【発明の開示】
【発明が解決しようとする課題】
【００１０】
しかしながら、保持具４からアロイ３を分離するために、前記円筒容器５を用いて温水に浸漬させ、回転させて、アロイ３を溶融する場合、前記円筒容器５の断面を示す図２（ｂ）の様に、保持具４は円筒容器５の中で固定されずに回転移動するため、保持具４同士または保持具４と円筒容器５が強く衝突して、保持具４が損傷していた。
【００１１】
保持具４が損傷すると、研磨装置への取り付け制度の低下などを生じ、眼鏡レンズ１の光学面の精度が低下、若しくは悪化し要求する精度が得られない。
【００１２】
また、円筒容器５へアロイ３の固着した保持具４を多量に投入するため、円筒容器５の重量が増加し、浸漬槽へ円筒容器５を投入する際、円筒容器５の落下、人体への負荷など、作業者へ与える安全上のリスク発生が考えられる為、特別な運搬機具を用いる必要があった。
【００１３】
さらに、温水６は、保持具に付着、残留した研磨剤やアロイに含まれる水溶性の物質が溶けだし、異臭の発生や汚れの再付着につながる為、定期的に交換する必要があった。
【００１４】
また、アロイは、Ｂｉ、Ｐd、Ｓn、Ｉｎ、Ｇａの成分で構成されており、Ｐｄは特に環境上リスクがある為、１００％回収することが望ましい。しかし従来の方法では、浸漬槽が一槽しかないため、アロイは完全に回収できず、未回収のＰｂが保持具に付着した状態で再使用されたり、廃液に混入した状態で廃棄されていた。
【００１５】
本発明は、上述した事情に鑑みなされたもので、保持具４を損傷することなくアロイ３を保持具から分離させ、効率良く確実に回収ができるアロイの溶融分離回収装置を提供することを目的とする。
【課題を解決するための手段】
【００１６】
上記目的を達成するため、第１の発明のアロイの溶融分離装置は、アロイの固着した眼鏡レンズ保持具から、前記アロイを溶融して分離し、回収するアロイの溶融分離回収装置であって、一つないし複数の前記保持具を、所定の間隔を持って配置できる受け部を備えた搬送治具を搬送する搬送部と、前記搬送治具の受け部に固定した前記眼鏡レンズ保持具に温水を噴射して、前記眼鏡レンズ保持具から固着したアロイを溶融し、分離する分離部と、前記溶融したアロイ及び噴射後の温水を回収する回収部とを備えることを特徴とする。
【００１７】
第１の発明の構成によれば、保持具を所定の間隔をもって固定する搬送治具により、保持具同士が接触することがなくなり、保持具の再使用の際に保持具の損傷が原因となる眼鏡レンズの光学面の精度低下をなくすことができるという効果が得られる。
【００１８】
また、搬送冶具に載置できる保持冶具数を少なくし、搬送装置により連続的に回収装置に投入できる為、作業者の運搬作業の負担軽減が図られ、安全性を確保するという効果を得ることができる。
【００１９】
第２の発明は、第１の発明に記載の分離部において、前記分離部が、搬送治具で搬送した前記眼鏡レンズ保持具のアロイ部と対向する上方側及び前記搬送部の下方側及び前記搬送部の搬送方向に沿った前記分離部側壁部にシャワー部を有し、前記上方向シャワー部及び及び前記搬送方向に沿った側壁シャワー部の一部もしくは全てから温水を、前記保持具に噴きかけることを特徴とするアロイの溶融分離回収装置。
【００２０】
第２の発明の構成によれば、前記眼鏡レンズ保持具の全周にわたって均一に温水を噴射することができ、更にシャワーノズルを使用することで、少ない温水量でも高い水圧を発生させ、確実に剥離することができる。
【００２１】
第３の発明は、第１の発明に記載される温水回収部で回収した温水を、再度分離部に戻す循環部を備えていることを特徴とする。
【００２２】
第３の発明の構成によれば、温水を循環させることにより、水の節約になり、また温水の臭気、汚れが低減され、温水の交換周期を延ばすという効果を得ることができる。
【００２３】
第４の発明は、第１の発明に記載の回収部において、前記回収部でアロイを含む温水を回収し、アロイを低部に沈殿するアロイ回収槽、前記アロイ回収槽から、アロイ沈殿後の温水をオーバーフローさせて、前記温水を回収する第１の温水回収槽、前記第１の温水回収槽よりオーバーフローした温水を回収する第２の温水回収槽とを備えることを特徴とする、請求項１に記載のアロイ溶融分離回収装置。
【００２４】
第４の発明の構成によれば、有害物質であるアロイを確実に回収することができる。
【発明を実施するための最良の形態】
【００２５】
以下、本発明の実施形態を図面に基づいて説明するが、本発明は下記の実施の形態に限定されるものではない。
【００２６】
図３は、本発明におけるアロイの溶融分離回収装置の概略構成を示す説明図である。
その構成を説明すると、一つないし複数の保持具４を所定の間隔を持って配列した搬送治具１０を、投入口から搬出口へ搬送する搬送部２２と、搬送治具１０に載置された保持具４に、温水を噴射してアロイを溶融し、保持具４から分離する分離部１７と、温水で溶融したアロイを回収するアロイ回収槽２４と、噴射後の温水を回収する第１の温水回収槽２５と第２の温水回収槽２６が備えられた回収部３３と、温水の噴射によって水分を帯びた保持具４を、圧空で乾燥する乾燥部１９とが備えられた構成となっている。
【００２７】
また、アロイ回収槽２４に堆積した溶融後のアロイ２７は、アロイ排出バルブ２９を開閉することにより抽出され、温水２８は再び分離部１７へ戻る構成となっている。
【００２８】
図４（Ａ）は、搬送治具１０を上部から見た図。同じく（Ｂ）は搬送治具１０へ保持具４を載置した状態を側面から見た図である。
【００２９】
搬送治具１０は金属製で、保持具４を所定の間隔を持って８個配列できるよう、受け部９が並列されている。搬送冶具１０は腐食に対して強固なステンレスを使うことが望ましい。溶融したアロイと噴射後の温水が、各々下部に設置されたアロイ回収槽２４と第１の温水回収槽２５、第２の温水回収槽２６で容易に回収されるように、搬送治具１０は、リング状に形成されている受け部９を連結棒１１に溶接などの手段により固定し、空間部１２を形成している。また、搬送治具１０全体は、受け部９を、受け部９に対向する下方側から複数の支柱１３が適当な間隔を保ちながら支える構成となっている。
【００３０】
搬送部２２は、複数の金属製のローラーを配列した部分と、金網の部分とが有り、搬送治具１０を順次に搬送できるコンベアー式の搬送手段を有しており、投入口１４へ搬送治具１０を給材すると、センサーが感知し、自動稼働を開始し、６分〜７分間かけて搬送治具１０を搬送し、搬出口２１に搬出する。
【００３１】
搬送治具１０が搬出口２１まで搬出されてしまうと、装置は自動停止するようになっている。
【００３２】
分離部１７は、搬送している保持具１５のアロイ部に対向する上方３０ｃｍの位置及び搬送方向に沿った側壁部、及び前記保持具のアロイ部に対向する下方側に各々シャワーノズル１６が取り付けられている。シャワーノズルは上方、下方に４ヶ所4個づつ並列している。また図３（ｂ）に示す分離部を上方から（図３（ａ）の上方から）見た図の通り側壁には、４ヶ所左右に１個づつ取り付けられている。全てのノズルから６０℃〜７０℃の温水が前記保持具に噴射される。その再の圧力は、１．５kg／ｃｍ2で設定されている。
【００３３】
なおシャワーノズルの数は本実施例に限定されることはなく、搬送冶具１０の投入量や搬送速度により適時設定されるものである。
【００３４】
分離部１７でアロイが溶融された前記保持具を、乾燥部１９に搬送し、水分を帯びた前記保持具に対向する上方側から４kg／ｃｍ2の圧力でエアーを２回に分けて噴射し、前記保持具を乾燥させる。
【００３５】
回収部３３は、３槽式の回収槽で構成されており、１槽目は温水で溶融したアロイと温水を回収するアロイ回収槽２４、２槽目は１槽目でオーバーフローした温水を回収する第１の温水回収槽２５、３槽目は２槽目でオーバーフローした温水を回収する第２の温水回収槽２６となっており、必ず回収しなければならない有害物質のアロイ２２を確実に回収出来るようになっている。
【００３６】
また第１の温水回収槽２５と、第２の温水回収槽２６は、回収した温水を６０〜７０℃の温度に保つヒーター、前記保温された温水を循環させるポンプ３１、温水量を管理する図示しない液面センサー、更に前記液面センサーにより液面の低下を感知し自動に水を補給する給水手段を設けている。
【００３７】
続いて、図３に基づいて、本発明のアロイの溶融分離回収装置の具体的動作を説明する。
【００３８】
アロイが固着した保持具４を搬送治具１０に載置し、投入口１４へ搬送治具１０を投入すると、センサーが感知し、コンベアー式に形成されている搬送部２２は搬送冶具１０を図における右方向から左方向へ搬送する。
【００３９】
搬送治具１０に載置して搬送された保持具１５は、分離部１７において、搬送した保持具１５に対向する上方側と下方側及び左右から、６５℃の温水を放射状に噴射させてアロイを溶融する。
【００４０】
溶融されたアロイと温水は、ロート状の導入部２３を通してアロイ回収槽２４に流れ落ち、アロイ２７は、前記回収槽の底部に堆積する。堆積したアロイは、アロイ排出バルブ２９より取り出して再使用する。温水２８はアロイ回収槽２４から第１の温水回収槽２５へオーバーフローさせる。この時温水２８に混在しているアロイを、第１の温水回収槽でも回収できるよう、アロイ排出バルブ３４が取り付けられていて、沈殿したアロイを回収する。第１の温水回収槽でオーバーフローした温水を第２の温水回収槽で回収し、アロイ回収槽２４でも、第１の温水回収槽２５でも回収できなかったアロイを第２の温水回収槽２６において沈殿させ、確実にアロイが回収できる。
【００４１】
温水２８は、ヒーターで６０〜７０℃の温度に保ちながら、循環・再使用される。
【００４２】
搬送治具１０に載置された保持具１５は、温水の噴射によって水分を帯びているため、エアーを二回に分けて噴射し、前記保持具を乾燥させる。
【００４３】
乾燥が終わると搬送治具１０は搬出口２１まで搬送され、保持具１５が搬送冶具１０より取外される。
【００４４】
以上のように、本実施形態のアロイの溶融分離回収装置は、有害物質のアロイの溶融を自動化で行うことが出来る。
【産業上の利用可能性】
【００４５】
本発明は、前述の実施の形態に限定されるものではなく、アロイの溶融、分離、回収を必要とする様々な物品に適用できる。
【図面の簡単な説明】
【００４６】
【図１】保持具と眼鏡レンズが、アロイで固着されている断面図。
【図２】浸漬槽で、円筒容器を浸漬している側面（ａ）と保持具の入った円筒容器の断面図（ｂ）。
【図３】アロイ溶融分離回収装置の側面図（ａ）と分離部を上方から見た図（ｂ）。
【図４】搬送治具を真上から見た図（Ａ）と搬送治具へ保持具を載置した状態を側面から見た図（Ｂ）。
【符号の説明】
【００４７】
１．眼鏡レンズ
２．光学面
３．アロイ
４．保持具
５．円筒容器
６．温水
７．アロイの沈殿層
８．バルブ
９．受け部
１０．搬送治具
１１．連結棒
１２．空間部
１３．支柱
１４．投入口
１５．搬送している保持具
１６．シャワーノズル
１７．分離部
１８．エアーシャワー
１９．乾燥部
２１．搬出口
２２．搬送部
２３．ロート状の導入部  
２４．アロイ回収槽
２５．第１の温水回収槽
２６．第２の温水回収槽
２７．溶融後のアロイ
２８．温水
２９．アロイ排出バルブ
３１．循環ポンプ
３２．温水配管
３３．回収部
３４．アロイ排出バルブ
３５．アロイ排出バルブ
【図１】
2005202129.tif 000003
【図２】
2005202129.tif 000004
【図３】
2005202129.tif 000005
【図４】
2005202129.tif 000006